(57)【要約】【課題】    部屋を暗くした状態で自動再生を開始することにより臨場感のある映像を再生することのできる映像信号再生装置を提供する。【解決手段】  映像信号を再生する映像信号再生部と、該映像信号再生部を制御して、所望の映像信号を再生するシステムコントローラ１４を備えた映像信号再生装置において、前記システムコントローラ１４は、前記再生した映像信号を表示する環境の照度を検出する照度センサ２２を備え、前記映像信号再生部の再生準備が完了し、かつ前記照度センサ２２の検出照度が第１の基準値以下になったとき再生を開始する。【選択図】  図１
2006277796.tif 000002
【特許請求の範囲】
【請求項１】
映像信号を再生する映像信号再生部と、
該映像信号再生部を制御して、所望の映像信号を再生するシステムコントローラを備えた映像信号再生装置において、
前記システムコントローラは、前記再生した映像信号を表示する環境の照度を検出する照度センサを備え、前記映像信号再生部の再生準備が完了し、かつ前記照度センサの検出照度が第１の基準値以下になったとき再生を開始することを特徴とする映像信号再生装置。
【請求項２】
請求項１記載の映像信号再生装置において、
前記システムコントローラは、現在時刻の昼夜を判別する昼夜判別部を備え、該昼夜判別部が現在時刻を昼間と判別したときは前記第１の基準値を高く設定し、現在時刻を夜間と判別したときは前記第１の基準値を低く設定して再生を開始すること特徴とする映像信号再生装置。
【請求項３】
請求項１記載の映像信号再生装置において、
前記システムコントローラは、前記照度センサの検出照度が前記第１の基準値以下になったとき再生を開始する機能を無効にする手段を備えたことを特徴とする映像信号再生装置
【請求項４】
請求項１記載の映像信号再生装置において、
前記システムコントローラは、前記照度センサの検出照度が前記第１の基準値を越える値に設定した第２の基準値以上となったとき再生を一時停止することを特徴とする映像信号再生装置。
【請求項５】
請求項４記載の映像信号再生装置において、
前記システムコントローラは、前記再生を一時停止したときから所定時間以内に前記照度センサの検出照度が前記第１の基準値以下となったとき再生を再開することを特徴とする映像信号再生装置。
【発明の詳細な説明】
【技術分野】
【０００１】
本発明は、映像信号再生装置に係り、特に、臨場感のある映像を再生することのできる映像信号再生装置に関する。
【背景技術】
【０００２】
近年、ＤＶＤ(Digital Versatile Disc)を再生するＤＶＤ再生装置、ＡＶアンプ、安価な液晶プロジェクタなどの普及に伴い、家庭で手軽にホームシアターを実現できるようになってきた。その中でも、ＤＶＤ再生装置で再生した映画などを、部屋を暗くした状態でプロジェクタなど用いて、映画館さながらに本格的なスクリーンで視聴するケースが増えてきた。
【０００３】
このような映像再生装置は、通常、リモートコントローラあるいは本体表示パネル等の入力装置を操作して映像信号の再生を開始したり、あるいはタイマ等で設定した時間になったときに映像信号の再生を開始することが可能である。
【０００４】
また、周囲の明るさを検出する照度センサを備え、該照度センサによって部屋が暗くなったと判断したとき、映像再生装置の表示パネルを消灯し、再生する映像の視認性を良くするという機能を備えた装置が知られている（例えば、特許文献１参照）。
【特許文献１】特開２００３−１４１８７１号公報
【発明の開示】
【発明が解決しようとする課題】
【０００５】
映像再生装置を用いて映画を視聴する際、臨場感を得ようとする場合には、部屋を暗くした状態でプロジェクタ等を用いて大画面で視聴するのが一般的である。この場合、映画の再生を開始する前に部屋を暗くしておくのが通常である。
【０００６】
しかし、この場合は、再生を開始させるために、暗い部屋の中で、例えばリモートコントローラを探し出し、さらに暗い部屋の中でリモートコントローラを操作をしなければならない。
【０００７】
また、映像再生装置のパネルに備える操作キー等を操作して再生を開始させようとする場合には、映画を視聴する位置と映像再生装置のある位置とを移動する必要があり、暗い部屋の中を手探りで移動しなければならないことになる。
【０００８】
このような、暗い部屋の中での不便を解決するために、リモートコントローラ等を操作して再生を開始させてから部屋を暗くするという方法が考えられる。しかしこの場合は、リモートコントローラで再生を開始した直後は、未だに部屋が明るいため臨場感に欠けることになる。
【０００９】
本発明は、これらの問題点に鑑みてなされたもので、部屋を暗くした状態で再生を開始して、臨場感のある映像を再生することのできる映像信号再生装置を提供するものである。
【課題を解決するための手段】
【００１０】
本発明は上記課題を解決するため、次のような手段を採用した。
【００１１】
映像信号を再生する映像信号再生部と、該映像信号再生部を制御して、所望の映像信号を再生するシステムコントローラを備えた映像信号再生装置において、前記システムコントローラは、前記再生した映像信号を表示する環境の照度を検出する照度センサを備え、前記映像信号再生部の再生準備が完了し、かつ前記照度センサの検出照度が第１の基準値以下になったとき再生を開始する。
【発明の効果】
【００１２】
本発明は、以上の構成を備えるため、部屋を暗くした状態で再生を開始して、臨場感のある映像を再生することのできる映像信号再生装置を提供することができる。
【発明を実施するための最良の形態】
【００１３】
以下、最良の実施形態を添付図面を参照しながら説明する。図１は、本実施形態にかかる映像信号再生装置を説明する図である。図１に示すように、映像信号再生装置を構成するＤＶＤ再生装置は、部屋（映像信号を表示する環境）の照度を測定する照度センサ２２を備える。また、再生装置のシステムコントローラ１４は、照度センサ２２の検出照度が基準値以下であるとき再生を開始する機能を備えている。
【００１４】
また、ＤＶＤ再生装置はリモートコントローラ２１を備え、該リモートコントローラ２１は、前記システムコントローラ１４の前記再生を開始する機能を有効にするか否かを設定する設定キー２３を備える。リモートコントローラ２１は、前記設定キー２３等のキー操作がなされると、その操作内容を赤外線等に変換して入力装置１６に送信する。
【００１５】
図１に示すように、ＤＶＤ再生装置は、リモートコントローラ２１からの入力あるいはユーザの操作入力を受け付ける入力装置１６、受け付けた入力情報あるいはユーザのための操作案内を表示する表示装置１５を備える。
【００１６】
メカユニット部１には、ＤＶＤ２を回転駆動するスピンドルモータ４、ＤＶＤ２の記録信号を読み取るための光ピックアップ３、スピンドルモータ４と光ピックアップ３を制御するサーボ制御回路５、及び光ピックアップ３から読み出したＲＦ信号を増幅するアンプ６を有し、アンプ６で増幅されたＲＦ信号はフロントエンド部７の復調回路８に入力される。復調回路８で復調された記録データにはエラー訂正回路９でエラー訂正処理を施こす。
【００１７】
フロントエンドコントローラ１０はエラー訂正処理された記録データをバックエンド部１１に伝送するとともに、記録データからサーボ制御回路５を制御するに必要な情報を抽出してサーボ制御回路５に伝送する。
【００１８】
バックエンド部１１のバックエンドコントローラ１３は、エラー訂正回路９からエラー訂正された記録データを受信し、受信した記録データをビデオ・オーディオ復調部１２に伝送する。ビデオ・オーディオ復調部１２は、前記記録データからビデオデータ、オーディオデータ及び各種制御情報を分離してデコードする。バックエンドコントローラ１３はデコードされたビデオデータ及びオーディオデータを、それぞれビデオＤＡＣ(Digital Analog converter)１８及びオーディオＤＡＣ１７に伝送する。ビデオＤＡＣ１８及びオーディオＤＡＣ１７はそれぞれ入力されたビデオデータ及びオーディオデータをアナログ信号に変換し、変換したデータをそれぞれアナログ映像信号出力端子２０及びアナログ音声出力端子１９を介して外部に出力する。
【００１９】
なお、フロントエンドコントローラ１０はバックエンドコントローラ１３の指示に従ってＤＶＤに記録された特定のデータを読み出すことが可能である。また、上記メカユニット部１、フロントエンド部７、及びバックエンド部１１は装置全体を制御するシステムコントローラ１４により制御される。
【００２０】
照度センサ２２は、ＤＶＤを再生して鑑賞する部屋が暗いときは低い電圧の照度信号を出力し、部屋が明るいときは高い電圧の照度信号を出力する。照度センサ２２が出力した信号は、システムコントローラ１４に内臓されているＡＤコンバータ２４によりデジタル変換する。システムコントローラ１４は、ＡＤコンバータ２４の出力を予め設定した基準値と比較して部屋が暗いか明るいかを判断する。
【００２１】
時計部３０は、現在の時刻が何時何分であるかを表す時刻信号を出力する。昼夜判別部３１は、時計部３０から出力される時刻信号に基づいて、現在が昼間であるか夜間であるかを判別する。本実施形態においては、午前６時０分から午後５時０分までの時間帯を昼間と判別し、それ以外の時間帯を夜間と判別する。昼夜判別部３１は、判別した結果を昼夜判別信号としてシステムコントローラ１４へ出力する。
【００２２】
システムコントローラ１４は、ＤＶＤ２の再生がスタンバイ状態（ＤＶＤの再生を最初から開始できる待機状態）である場合、昼夜判別部３１から夜間を示す昼夜判別信号が出力されている状態で、照度センサ２２により部屋の照度が５ルクス以下となったことを検出すると、ＤＶＤの再生を開始するよう制御する。
【００２３】
また、システムコントローラ１４は、ＤＶＤ２の再生がスタンバイ状態である場合、昼夜判別部３１から昼間を示す昼夜判別信号が出力されている状態で、照度センサ２２により部屋の照度が１０ルクス以下となったことを検出すると、ＤＶＤの再生を開始するよう制御する。
【００２４】
また、システムコントローラ１４は、ＤＶＤが再生されている状態で、照度センサ２２により部屋の照度が１００ルクス以上となったことを検出すると、ＤＶＤの再生を一時停止するよう制御する。
【００２５】
タイマ３２は、１分毎の時刻を計測する。システムコントローラ１４は、照度センサ２２が部屋の照度が１００ルクス以上となったことを検出し、ＤＶＤの再生が一時停止状態となっている場合、タイマ３２による時刻の計測に基づいて再生が一時停止状態となってから例えば５分が経過したか否かを監視する。そして、５分が経過する以前に部屋の照度が１０ルクス以下になったとき、ＤＶＤの再生を再開するよう制御する。一方、再生が一時停止状態となってから５分が経過した場合は、ＤＶＤの再生を停止するよう制御する。
【００２６】
図２は、部屋が暗くなったと判断したときにＤＶＤ再生装置に搭載したＤＶＤを自動で再生する機能を有効にするか、無効にするかの設定方法を説明する図である。
【００２７】
先ず、ステップＳＴ１において、リモートコントローラ２１の設定キー２３を操作して、部屋が暗くなったときにＤＶＤ再生装置に搭載したＤＶＤ２を自動で再生する機能を有効にするか、無効にするかの設定機能を起動する。
【００２８】
ステップＳＴ２において、設定キー２３を使用して、部屋が暗くなったと判断したときにＤＶＤ２を自動再生する機能を有効にするか、無効にするかを選択する。
【００２９】
ステップＳＴ３において、部屋が暗くなったと判断したときにＤＶＤ２を自動で再生する機能を有効にする選択があったか否かを判断する。自動再生する機能を有効にする選択があったと判断したときは、ステップＳＴ４に移り、自動再生する機能を有効になるように、システムコントローラ１４のメモリに設定を記憶する。
【００３０】
ステップＳＴ３において、部屋が暗くなったと判断したときにＤＶＤ２を自動再生する機能を無効にする選択があったと判断したときは、ステップＳＴ５に移り、自動再生する機能が無効になるようにシステムコントローラ１４のメモリに設定を記憶する。
【００３１】
ステップＳＴ６において、設定キー２３で部屋が暗くなったときにＤＶＤ２を自動再生する機能を有効にするか、無効にするかの設定機能の終了指示があったか否かを判断し、設定機能の終了指示があったときは設定機能を終了する。一方、前記設定機能の終了指示がなかった場合はステップＳＴ２の処理に戻り、設定機能の処理を継続する。
【００３２】
以上により、部屋が暗くなったときにＤＶＤ２を自動再生する機能を有効にするか無効にするかの設定を行うことができる。
【００３３】
図３は、部屋が暗くなったと判断したときに自動でＤＶＤ２の再生を開始する処理を説明する図である。
【００３４】
先ず、ステップＳＴ７において、部屋が暗くなったと判断したときにＤＶＤ２を自動再生する機能を有効にするか無効にするかの設定情報（図２のステップＳＴ２において設定した内容）をシステムコントローラ１４のメモリから読み出し、自動再生機能が有効になっているときはステップＳＴ８に移る。また自動再生機能が無効になっているときは機能が有効に設定されるまで待つ。
【００３５】
ステップＳＴ８において、ＤＶＤ再生装置が、停止（ＳＴＯＰ）状態あるいは再生機能の選択（ＭＥＮＵ）状態などの再生待機（スタンバイ）状態であるか否かを確認し、再生待機状態のときは、ステップＳＴ９に移り、再生待機状態でないときはステップＳＴ７に戻る。
【００３６】
ステップＳＴ９において、システムコントローラ１４は、昼夜判別部３１から出力された昼夜判別信号が昼間を示す信号であるか否かを判別し、昼間を示す信号である場合は、現在が昼間であると判断してステップＳＴ１０に移る。また、ステップＳＴ９において、現在が夜間であると判断した場合はステップＳＴ１２に移る。
【００３７】
ステップＳＴ１０において、システムコントローラ１４は、照度センサ２２の出力する電圧をＡＤコンバータ２４を介して入力する。システムコントローラ１４は、照度センサ２２が検出した部屋の照度が１０ルクス以下であるか否かを判別し、部屋の照度が１０ルクス以下でない場合は、ステップＳＴ９に戻る。また、ステップＳＴ１０において部屋の照度が１０ルクス以下である場合は、ステップＳＴｌｌに移る。
【００３８】
ステップＳＴｌｌにおいて、システムコントローラ１４は、バックエンドコントローラ１３に再生指示を出力し、バンクエンドコントローラ１３はＤＶＤ２の再生を開始する。
【００３９】
ステップＳＴ１２において、システムコントローラ１４は、照度センサ２２が検出した部屋の照度が５ルクス以下であるか否かを判断する。部屋の照度が５ルクス以下でない場合は、ステップＳＴ９に戻る。また、部屋の照度が５ルクス以下である場合は、ステップＳＴｌｌに移動し、ＤＶＤ２の再生を開始するよう制御する。
【００４０】
このように本実施形態の映像再生装置によれば、照度センサ２２によって部屋の明るさを測定し、部屋が暗くなったと判断したときにＤＶＤ再生装置に搭載したＤＶＤ２を自動で再生することができる。
【００４１】
すなわち、照明を消灯したり、カーテンを閉めることによって、部屋を暗くすることにより自動的に再生を開始することができる。このため、ＤＶＤの再生を開始させるために、暗い部屋の中でリモートコントローラを探したり、部屋が暗い状態でリモートコントローラの操作を行う必要はなくなる。
【００４２】
部屋を暗い状態として、ＤＶＤに記録された映画を視聴する場合、部屋を暗くするためには部屋の照明を消灯すると共に窓のカーテンを閉めた状態にするのが一般的である。しかしながら、昼間は、窓のカーテンを閉めた状態としても、カーテンの隙間から太陽の光が入り込むため、夜間にカーテンを閉めた状態よりも部屋の内部は明るい。
【００４３】
また、部屋の内部の明るさ（照度）を昼間と夜間で同じ値とした場合、昼間は野外が明るく、夜間は野外が暗いことから、同じ照度であっても、夜間よりも昼間の方が部屋が暗く感じる。
【００４４】
このため、本実施形態の映像信号再生装置では、現在が昼間であるか夜間であるかを判断し、現在が昼間であると判断した場合は、部屋の照度が１０ルクス以下となった場合にＤＶＤの再生を開始するように設定する。
【００４５】
また、現在が夜間である場合は、部屋の照明を消灯すると部屋の内部がほぼ真っ暗の状態となることから、現在が夜間であると判断した場合は、部屋の照度が５ルクス以下となった場合に、ＤＶＤの再生を開始するように設定する。
【００４６】
すなわち、ＤＶＤの自動再生を開始する際の照度の基準値（第１の基準値）を、現在が昼間であるときは高く（１０ルクス）に設定し、現在が夜間であるときは低く（５ルクス）に設定する。このように、ＤＶＤの再生を自動的に開始させる場合、部屋が暗くなったと判断する照度を昼間と夜間とで異なる値とすることにより、すなわち、昼間である場合に部屋が暗くなったと判断する照度を夜間である場合に部屋が暗くなったと判断する照度よりも高い照度とすることにより、昼間にカーテンを閉めて照明を消灯したのにも拘らず部屋の内部の照度が５ルクス以下とならず、ＤＶＤの再生を自動的に開始することができなくなることを防止することができる。また、夜間に照明を消灯していないのにも拘らず、部屋の内部の照度が１０ルクス以下であるためにＤＶＤの再生が勝手に開始されてしまうことを防止することができる。
【００４７】
図４は、自動的にＤＶＤの再生を開始させた後に、再生を一時停止する処理を説明する図である。
【００４８】
図３に示す処理によりＤＶＤの再生を開始させた後、ステップＳＴ１３において、システムコントローラ１４は、照度センサ２２の出力する電圧を監視し、部屋の照度が１００ルクス以上であるか否かを判断する。部屋の照度が第２の基準値（第１の基準値よりも大きな値、例えば１００ルクス）以上でない場合は、再生を継続する。部屋の照度が１００ルクス以上である場合は、ステップＳＴ１４に移動する。
【００４９】
ステップＳＴ１４において、システムコントローラ１４は、それまで再生していたＤＶＤの再生を一時停止（スタンバイ）状態とした後、ステップＳＴ１５に移動する。
【００５０】
ステップＳＴ１５において、システムコントローラ１４は、タイマー３２の時刻の計測に基づいて、ＤＶＤの再生が一時停止状態となってから５分が経過したか否かを判断し、５分が経過したと判断したとき、ステップＳＴ１６の処理に移動し、ステップＳＴ１６においてＤＶＤの再生を停止状態とする。ステップＳＴ１５の処理において、ＤＶＤの再生が一時停止状態となってから５分が経過していない場合はステップＳＴ１７に移動する。
【００５１】
ステップＳＴ１７の処理において、システムコントローラ１４は、照度センサ２２の出力を監視し、部屋の照度が１０ルクス以下であるか否かを判別する。部屋の照度が１０ルクス以下でない場合は、ステップＳＴ１５に戻り、部屋の照度が１０ルクス以下である場合は、ステップＳＴ１８に移動する。ステップＳＴ１８において、システムコントローラ１４は、それまで一時停止していたＤＶＤの再生を再開する。
【００５２】
このように本実施形態の映像信号再生装置によれば、照度センサ２２によって部屋の明るさを監視し、部屋が暗くなったと判断したときにＤＶＤ再生装置に搭載したＤＶＤ２を自動で再生することができる。また、再生をしている途中で部屋が明るくなったことを判別すると、再生を一時停止状態にすることができる。また、再生を一時停止している状態で、再度部屋を暗くすると再生を再開することができる。
【００５３】
このことにより、例えば、長時間の映画が記録されたＤＶＤを視聴している途中で一時的に映画の視聴を中断して席を離れる場合、部屋の照明を点灯させることによって自動的にＤＶＤの再生を一時停止状態とすることができる。また、映画の続きを再度席に戻ってきてから視聴したい場合においても、暗い部屋の中でリモートコントローラ２１を探してその操作を行う必要はなくなる。
【００５４】
ＤＶＤを再生している途中で部屋を明るくしてから５分以上経過した場合は、一時的に席を離れたのではなく、ＤＶＤの再生を取りやめたと判断することができる。このため本実施形態の映像信号再生装置では、前記状態が再生中に部屋が明るくなって自動的にＤＶＤの再生が一時停止状態である場合、その状態のまま５分が経過したときは、それまで一時停止状態であったＤＶＤの再生を自動的に停止状態とする。このことにより、いつまでもＤＶＤの再生が一時停止の状態のままとなってしまうことを防止することができる。
【００５５】
また、本実施形態の映像信号再生装置は、昼夜判別部３１が昼間であると判別した場合においては部屋の明るさが１０ルクス以下となった場合にＤＶＤの再生を開始し、昼夜判別部３１が夜間であると判別した場合においては部屋の明るさが５ルクス以下となった場合にＤＶＤの再生を開始する構成とした。しかし、これらの照度の値をユーザが任意の値に設定することができる設定部を備える構成としても良い。これにより、映像再生装置を用いる部屋の日当たり状況に応じて、ＤＶＤを自動的に再生開始する部屋の照度を自由に変更させることができる。
【００５６】
以上説明したように、本実施形態によれば、照明を消灯したり、カーテンを閉めることによって、部屋を暗くすることにより自動的に再生を開始することができる。このため、ＤＶＤの再生を開始させるために、暗い部屋の中でリモートコントローラを探したり、部屋が暗い状態でリモートコントローラ等の操作を行う必要はなくなる。
【００５７】
また、再生をしている途中で部屋が明るくなったと判断すると、再生を一時停止状態にすることができる。また、再生を一時停止している状態で、再度部屋を暗くすると再生を再開することができる。このため、長時間の映画等を視聴している際に席を一時的に離れた場合に、席を離れていた間の場面が視聴できなくなることを防止することができる。
【００５８】
また、自動再生を開始する際の照度の基準値（第１の基準値）を、昼間である場合は夜間よりも高く設定することにより、昼間にカーテンを閉めて照明を消灯したにも拘らず部屋の内部の照度が昼間の基準値（５ルクス）以下とならずにＤＶＤの再生を自動的に開始することができなくなることを防止することができる。また、夜間に照明を消灯していないにも拘らず、部屋の内部の照度が夜間の基準値（１０ルクス）以下となってＤＶＤの再生が開始されてしまうことを防止することができる。
【図面の簡単な説明】
【００５９】
【図１】本実施形態にかかる映像信号再生装置を説明する図である。
【図２】部屋が暗くなったと判断したときにＤＶＤ再生装置に搭載したＤＶＤ２を自動で再生する機能を有効にするか、無効にするかの設定方法を説明する図である。
【図３】部屋が暗くなったと判断したときに自動でＤＶＤ２の再生を開始する処理を説明する図である。
【図４】自動的にＤＶＤの再生を開始させた後に、再生を一時停止する処理を説明する図である。
【符号の説明】
【００６０】
１  メカユニット部
２  ＤＶＤ
３  光ピックアップ
４  スピンドルモータ
５  サーボ制御回路
７  フロントエンド部
８  復調回路
９  エラー訂正回路
１０  フロントエンドコントローラ
１１  バックエンド部
１２  ビデオ・オーディオ復調部
１３  バックエンドコントローラ
１４  システムコントローラ
１５  出力装置（表示部）
１６  入力装置（操作部）
１７  オーディオＤＡＣ
１８  ビデオＤＡＣ
１９  アナログ音声信号出力端子
２０  アナログ映像信号出力端子
２１  リモートコントローラ
２２  照度センサ
２３  設定キー
２４  ＡＤコンバータ
３０  時計部
３１  昼夜判別部
３２  タイマ
【図１】
2006277796.tif 000003
【図２】
2006277796.tif 000004
【図３】
2006277796.tif 000005
【図４】
2006277796.tif 000006